(57)【要約】【課題】  種々の全幅寸法のガイド部材の交換作業が容易であって、使い勝手が良く、寿命の長い、スラッシュキルト用のカッターナイフを提供する。【解決手段】  細長いブレード５０をスライド自在に収容したカッターナイフ本体２０の先端に、カッターナイフ本体の長手軸Ｂに対して、鋭角を為して使用者側に延在するガイド部材保持台３０を設ける。このガイド部材保持台３０に対して、細長いガイド部材６０をスライド式に着脱可能に取り付ける。ブレード５０は、長手方向に一定間隔で平行に形成された複数の折溝５２を有していて、カッターナイフ本体２０は、ガイド部材保持台３０よりも基端側の位置にブレードのエッジ５１を使用者側に露出させる切欠き部２５を備える。ガイド部材保持台の端面にはブレード５０の通過を許容するスリットが形成されていて、当該端面は、ブレードに形成された折溝５２と整合する方向に延在している。【選択図】図２
2006136395.tif 000002
【特許請求の範囲】
【請求項１】
スライダ（４０）に連結した細長いブレード（５０）を、スライド自在に収容したカッターナイフ本体（２０）と、
カッターナイフ本体（２０）の先端に設けられていて、カッターナイフ本体の長手軸（Ｂ）に対して、鋭角を為して使用者側に延在するガイド部材保持台（３０）と、
ガイド部材保持台（３０）に対して、スライド式に着脱可能に取り付けられる細長いガイド部材（６０）と、を備えたカッターナイフであって、
ブレード（５０）は、長手方向に一定間隔で平行に形成された複数の折溝（５２）を有し、
カッターナイフ本体（２０）は、ガイド部材保持台（３０）よりも基端側の位置にブレードのエッジ（５１）を使用者側に露出させる切欠き部（２５）を備え、
ガイド部材保持台の端面（３０ａ）にはブレード（５０）の通過を許容するスリットが形成されていて、当該端面（３０ａ）は、ブレードに形成された折溝（５２）と整合する方向に延在していることを特徴とする、カッターナイフ。
【請求項２】
上記ガイド部材保持台（３０）はレール状のスライド係合部（３１）を備えていて、上記ガイド部材（６０）は、その係合溝（６１）をガイド部材保持台（３０）のスライド係合部（３１）に摩擦係合させることで、ガイド部材保持台（３０）に取り付けられていることを特徴とする、請求項１記載のカッターナイフ。
【請求項３】
上記カッターナイフ本体（２０）の基端側にクリップ（７０）が着脱可能に取り付けられていて、当該クリップ（７０）は、上記ガイド部材保持台の端面（３０ａ）に形成されたスリットを通過して露出したブレード部分に係合する刃折り部（７１）を備えていることを特徴とする、請求項１記載のカッターナイフ。
【請求項４】
上記ガイド部材（６０）とは全幅寸法の異なる他の交換用ガイド部材を備えることを特徴とする、請求項１記載のカッターナイフ。
【請求項５】
上記カッターナイフ本体（２０）は、交換用ガイド部材を収納する収納部を備えていることを特徴とする、請求項４記載のカッターナイフ。
【発明の詳細な説明】
【技術分野】
【０００１】
本発明は、スラッシュキルト用のカッターナイフに関する。
【背景技術】
【０００２】
ポーチやカバン等の縫製に使用する素材として、スラッシュキルト布と呼ばれる装飾布が知られている。スラッシュキルト布は、図１に示したように、複数の布地を重ね合わせた上で、互いに平行な複数の縫目６に沿って縫い合わせた後、最下層の布地５のみを残して、その上側に存在する複数層の上布５ａを前記複数の縫目６間の領域において切断（図１中の矢印Ａ参照）して構成される。このようにして構成されるスラッシュキルト布は、重厚感のある独特の風合い、あるいは美観を有する。
【０００３】
上記スラッシュキルト布を作製するのに使用するカッターナイフとして、特許文献１に記載されたものが知られている。特許文献１に開示されたカッターナイフは、切断作業時に切断方向を案内するガイド部材が、カッターナイフ本体と一体化しているか、あるいはネジ止めされているため、ガイド部材の交換が不可能であるか、または交換作業が繁雑となる。
【０００４】
スラッシュキルト布の作製において、切断される上布５ａに適度な緊張を与えて切断作業を円滑にするためには、ガイド部材の全幅寸法が縫目６間のピッチ寸法とほぼ等しいことが好ましい。一方、縫目６間のピッチ寸法には種々のものが存在するので、ガイド部材は、種々の全幅寸法のものを簡単に交換して使用できることが好ましい。
【０００５】
すなわち、特許文献１に開示されたカッターナイフでは、ガイド部材の交換が不可能であるか（一体形成されている場合）、または交換可能であっても、その交換作業が繁雑である（ネジ止めされている場合）ため、種々のピッチ寸法のスラッシュキルト布に対して汎用的に使用するには不便である。
【０００６】
【特許文献１】登録実用新案第３０４８７２７号公報
【発明の開示】
【発明が解決しようとする課題】
【０００７】
本発明は、上記事情に鑑みて創案されたものであって、種々の全幅寸法のガイド部材の交換作業が容易であるとともに、使い勝手が良くて、寿命の長い、スラッシュキルト用のカッターナイフを提供することを目的とする。
【課題を解決するための手段】
【０００８】
本発明のカッターナイフは、「スライダに連結した細長いブレードを、スライド自在に収容したカッターナイフ本体」と「カッターナイフ本体の先端に設けられていて、カッターナイフ本体の長手軸に対して、鋭角を為して使用者側に延在するガイド部材保持台」と「ガイド部材保持台に対して、スライド式に着脱可能に取り付けられる細長いガイド部材」とを備えている。
ブレードは、長手方向に一定間隔で平行に形成された複数の折溝を有する。カッターナイフ本体は、ガイド部材保持台よりも基端側の位置にブレードのエッジを使用者側に露出させる切欠き部を備える。
ガイド部材保持台の端面には、ブレードの通過を許容するスリットが形成されていて、当該端面は、ブレードに形成された折溝と整合する方向に延在している。
【発明の効果】
【０００９】
上記構成を備えた本発明のカッターナイフにおいては、ガイド部材保持台に対してガイド部材がスライド式に着脱可能に取り付けられるため、ガイド部材の交換作業が容易である。したがって、縫目間のピッチ寸法が異なる種々のスラッシュキルト布を作製するに当たって、全幅寸法の異なる複数のガイド部材を適宜選択的に取り付けて、汎用的に使用するのに好都合である。
また、切断作業に供されるブレードエッジが使用者側を向いた引き手式タイプのカッターナイフであるため、多様かつ安全性の高い切断作業を実現できる。
さらには、長手方向に一定間隔で平行に形成された複数の折溝を有する折れ刃式のブレードを採用しているため、切れ味が劣化した場合にブレード先端部分を順次折り取っていくことで、切れ味を回復させることができ、結果として、寿命の長いカッターナイフとなる。
【発明を実施するための最良の形態】
【００１０】
本発明の実施形態を添付の図面を参照して、以下に詳細に説明する。
【００１１】
≪全体構成≫
まず、本発明の一実施形態に係るカッターナイフ１０の大略的な全体構成を説明する。図２は、カッターナイフ１０を示す分解斜視図である。カッターナイフ１０の本体２０は、長手方向にスライド溝２１を有していて、スライダ４０に連結されたブレード５０をスライド可能に受け入れる。ブレード５０は、連結孔５５をスライダ４０側の連結突起４５に係合させることで、スライダ４０と連結される。
カッターナイフ本体２０の先端には、ガイド部材保持台３０が一体形成されている。ガイド部材保持台３０は、カッターナイフ本体２０の長手軸Ｂに対して、鋭角を為して使用者側に延在している。このガイド部材保持台３０には、細長いガイド部材６０がスライド可能に取り付けられる。
スライダ４０およびブレード５０をカッターナイフ本体２０のスライド溝２１に収容した後、カッターナイフ本体２０の基端側を閉じるようにクリップ７０が取り付けられる。
【００１２】
次に、カッターナイフ１０の重要な特徴および使用方法を説明する。
【００１３】
≪引き手式タイプであること≫
本発明のカッターナイフは、使用者がこれを握って手前に引きながら切断作業を行う引き手式タイプである。
このため、カッターナイフ本体２０の先端に設けたガイド部材保持台３０は、カッターナイフ本体２０の長手軸Ｂに対して、鋭角（すなわち、９０°よりも小さい角度）を為して使用者側に延在していて、ここにガイド部材がスライド式に固定される。そして、ガイド部材保持台３０よりも基端側の位置において、カッターナイフ本体２０は、ブレード５０のエッジ５１を使用者側に露出させる切欠き部２５を備える。
スラッシュキルト布の作製時における上布切断工程においては、例えば図３に示したように、布地を作業台上に置いて上布５ａの切断を行うことが代表的であるが、カッターナイフ１０を引き手式タイプに構成した場合には、そのような作業台上での切断を行えることは勿論、それ以外にも、例えば、図４に示したように布地の一端を片手で持ち上げて、下方に向かって切り下ろす等、多様な方法で切断を行うことができる。このような切断作業は、押し手式（前方に向かってカッターナイフを押しながら、切断作業を行うもの）のカッターナイフでは不可能である。
さらに、作業台の上で上布切断工程を行う場合であっても、カッターナイフを手前に引き込みながら切断を行う引き手式タイプの方が、不用意に前方に存在する器物等を倒してしまったりすることもなく、安全性が高い。
【００１４】
≪ガイド部材保持台３０の構成≫
カッターナイフ本体２０の先端に設けたガイド部材保持台３０は、カッターナイフ本体２０の長手軸Ｂに対して、鋭角を為して使用者側に延在していて、ここにガイド部材６０がスライド式に固定される。
図５に示した例では、ガイド部材保持台３０には、その延在方向に沿ってレール状のスライド係合部３１が形成されている。一方、ガイド部材６０にも、その長手方向に沿って係合溝６１が形成されている。スライド係合部３１に係合溝６１をスライド係合させることによって、ガイド部材６０をガイド部材保持台３０に装着することができる。スライド係合部３１の幅寸法を係合溝６１の幅寸法よりも若干大きく設定しておくことにより、両者は一定の強度で摩擦係合する。他の例として、凹凸を利用したスナップ係合を採用することも可能であるが、摩擦係合を利用する方が構造がシンプルで製造コストを低減できるというメリットがある。
【００１５】
なお、ガイド部材６０は、上布５ａの切断時にスラッシュキルト布の縫目６と縫目６との間に入り込んで、カッターナイフ１０の進行を案内するものである（図１および図３参照）が、このとき、切断される上布５ａに適度な緊張を与えて切断作業を円滑に行うためには、ガイド部材６０の全幅寸法が縫目６と縫目６との間のピッチ寸法にほぼ等しいことが必要である。そして、縫目間のピッチ寸法には種々のものが存在するので、多様なスラッシュキルト布の作製に対して１つのカッターナイフを汎用的に使用するためには、種々の全幅寸法のガイド部材６０を用意しておき、各ガイド部材６０を適宜選択して使用することが好ましい。
このため、ガイド部材６０を簡単に交換できる本発明のカッターナイフは極めて有利である。また、１つのカッターナイフに対して、全幅寸法の異なる複数種類の交換用ガイド部材（図示せず）を組み合わせてセットで提供すれば、ユーザにとっても便利である。
【００１６】
複数種類の交換用ガイド部材を組み合わせて提供する場合、カッターナイフ本体２０に交換用ガイド部材を収納しておく収納部（図示せず）を設けることが好ましい。このような収納部の具体的な形態は、どのようなものであってもよいが、例えば、カッターナイフ本体２０を肉厚に構成して、当該肉厚部に収納部屋を設け、クリップ７０を外したときに挿入口が外部に露出するような構成が考えられる。
【００１７】
≪折れ刃式ブレードの採用≫
本発明のカッターナイフにおいては、複数の折溝５２を備えた折れ刃式のブレード５０を採用している。ブレード５０の切れ味が劣化した場合には、折溝５２においてブレード５０を折ることで、新しいブレード部分を切断作業に供することができるので、カッターナイフの寿命が非常に長い。
【００１８】
ガイド部材保持台３０からガイド部材６０を外した場合に、外部に露出する当該ガイド部材保持台３０の端面３０ａにはスリットが形成されている。スライダ４０を操作することで、図６に示したように、ブレード５０の先端部５０ａをスリットを通して外部に露出させることができる。図６において、スリット自体は現れていないが、ブレード先端部５０ａは当該スリットを通して外部に露出している。
【００１９】
ガイド部材保持台３０の端面３０ａは、ブレード５０に形成された折溝５２と整合する方向に延在している。すなわち、ブレード５０をカッターナイフ本体２０に装着した状態では、端面３０ａと折溝５２とが平行となる。図６においては、端面３０ａと最も先端側の折溝５２ａとが重なった状態となっている。このような状態で、ブレード先端に外力を加えることで、折溝５２ａに沿ってブレード５０を折ることが容易になる。
ブレード５０の先端を折り取った後、再びブレード５０をカッターナイフ本体２０内に戻して、ガイド部材６０を装着すれば、未使用の新しいブレード部分が切欠き部２５内に位置するので、切れ味が回復する。
【００２０】
ブレード５０の先端の折取り作業を容易にするために、クリップ７０に刃折り部７１を設けることが好ましい。例えば、図７に示したように、クリップ７０の端部に、ブレードと係合可能なスリット状の溝７１を設ける。図７において、突出部７５は、図２において、カッターナイフ本体２０の基端側と係合する部分である。
このような刃折り部７１をクリップ７０に設ければ、図８に示したように、刃折り部７１をブレード５０の先端と係合させて、矢印Ｃ方向に外力を加えることで、先端部分の折取り作業を簡単に行うことができる。
【図面の簡単な説明】
【００２１】
【図１】スラッシュキルト布を説明する要部斜視図。
【図２】本発明の一実施形態に係るカッターナイフの分解斜視図。
【図３】作業台上での上布切断工程を示す図。
【図４】布地を片手で持ち上げた状態での上布切断工程を示す図。
【図５】ガイド部材の取付方法を説明する説明図。
【図６】ブレード先端部を外部に露出させた状態の説明図。
【図７】クリップを示す斜視図。
【図８】ブレードの折取方法を説明する説明図。
【符号の説明】
【００２２】
５  最下層の布地
５ａ  上布（複数層）
６  縫目
１０  カッターナイフ
２０  カッターナイフ本体
２１  スライド溝
２５  切欠部
３０  ガイド部材保持台
３１  スライド係合部
４０  スライダ
４５  連結突起
５０  ブレード
５１  エッジ
５２  折溝
５５  連結孔
６０  ガイド部材
６１  係合溝
７０  クリップ
７１  刃折り部（溝）
７５  突出部
【図１】
2006136395.tif 000003
【図２】
2006136395.tif 000004
【図５】
2006136395.tif 000005
【図６】
2006136395.tif 000006
【図７】
2006136395.tif 000007
【図８】
2006136395.tif 000008
【図３】
2006136395.tif 000009
【図４】
2006136395.tif 000010